(57)【要約】【課題】コネクタと基板とがより強固に接続され、好ましい読み取りを行うことができる画像読取装置を提供する。【解決手段】本発明に係る画像読取装置Ａ１は、主走査方向に沿う線状光を読取対象に向けて出射する線状光源３０と、上記主走査方向に沿って配列された複数の受光素子５０を搭載する基板１０と、線状光源３０と基板１０とを収容する長矩形状のケース６０と、基板１０にクリップ２１を介して取り付けられたコネクタ２０と、を備えており、基板１０は、基材１１と、基材１１に形成された遮光性のコーティング１２とを有しており、基板１０とクリップ２１とが接着剤１９によって接着されており、基板１０に、クリップ２１が接着される接着領域１０ａが設けられており、接着領域１０ａは、基板１０の他の領域に比べて接着剤１９が接着しやすくなっていることを特徴とする。【選択図】  図３
2009165068.tif 000002
【特許請求の範囲】
【請求項１】
主走査方向に沿う線状光を読取対象に向けて出射する線状光源と、
上記主走査方向に沿って配列された複数の受光素子を搭載する基板と、
上記線状光源と上記基板とを収容する長矩形状のケースと、
上記基板にクリップを介して取り付けられたコネクタと、
を備えており、
上記基板は、基材と、上記基材に形成された遮光性のコーティングとを有しており、
上記基板と上記クリップとが接着剤によって接着されている画像読取装置であって、
上記基板には、上記クリップが接着される接着領域が設けられており、
上記接着領域は、上記基板の他の領域に比べて上記接着剤が接着しやすくなっていることを特徴とする画像読取装置。
【請求項２】
上記基材が多孔質構造の材質で形成されており、上記コーティングは、上記接着領域において上記基材を露出させるように形成されている、請求項１に記載の画像読取装置。
【請求項３】
上記接着領域において上記基材に上記コーティングが形成されており、
上記接着領域における上記コーティングの表面は、上記基板の他の領域における上記コーティングの表面に比べて粗い面に形成されている、請求項１に記載の画像読取装置。
【請求項４】
上記接着領域には上記コーティングよりも上記接着剤が接着しやすい接着層が形成されている、請求項１に記載の画像読取装置。
【発明の詳細な説明】
【技術分野】
【０００１】
本発明は、画像読取装置に関する。
【背景技術】
【０００２】
図１０は、従来の画像読取装置の一例を断面図で示している（たとえば特許文献１参照）。同図に示された画像読取装置Ｘは、基板９１、コネクタ９２、線状光源９３、レンズユニット９４、センサチップ９５、および、ケース９６を備えている。この画像読取装置Ｘは、線状光源９３からの線状光を読取対象に向けて出射し、その反射光をレンズユニット９４によってセンサチップ９５に結像させる構成となっている。センサチップ９５は、受けた光に応じた起電力を生じ、さらにこの起電力から画素ごとの輝度信号を出力可能に構成されている。上記読取対象によって反射された光をセンサチップ９５によって受光することにより、上記読取対象の記載内容を画像データとして読み取ることができる。取得された画像データは、基板９１に接続されたコネクタ９２によって外部へ出力される。
【０００３】
基板９１は、セラミック製の基材９１１と、基材９１１を覆うように形成された黒ガラス製のコーティング９１２とによって構成されている。このようなコーティング９１２は、光を透過させないため、センサチップ９５に不当に光が入射するのを防ぐことができる。
【０００４】
コネクタ９２は、クリップ９２１によって基板９１に取り付けられている。クリップ９２１は、基板９１上の配線とコネクタ９２とを接続する役割も果たしている。このクリップ９２１は接着剤によって基板９１に固定されている。
【０００５】
しかしながら、このような画像読取装置Ｘでは、コーティング９１２の表面が平滑であるため、接着剤が剥がれやすい問題があった。このため、クリップ９２１と基板９１との固定が外れ、相互の配置がずれてしまい、クリップ９２１と基板９１上の配線との接続が切れてしまうことがあった。また、場合によっては、クリップ９２１が基板９１から外れコネクタ９２が基板９１から脱落してしまうことがあった。このように画像読取装置Ｘでは、コネクタ９２と基板９１との接続が不安定であり、好ましい読み取りを行うことができなかった。
【０００６】
【特許文献１】特開２００７−２２１３６０号公報
【発明の開示】
【発明が解決しようとする課題】
【０００７】
本発明は、上記した事情のもとで考え出されたものであって、コネクタと基板とがより強固に接続され、好ましい読み取りを行うことができる画像読取装置を提供することを課題とする。
【課題を解決するための手段】
【０００８】
本発明に係る画像読取装置は、主走査方向に沿う線状光を読取対象に向けて出射する線状光源と、上記主走査方向に沿って配列された複数の受光素子を搭載する基板と、上記線状光源と上記基板とを収容する長矩形状のケースと、上記基板にクリップを介して取り付けられたコネクタと、を備えており、上記基板は、基材と、上記基材に形成された遮光性のコーティングとを有しており、上記基板と上記クリップとが接着剤によって接着されている画像読取装置であって、上記基板には、上記クリップが接着される接着領域が設けられており、上記接着領域は、上記基板の他の領域に比べて上記接着剤が接着しやすくなっていることを特徴とする。
【０００９】
このような構成によれば、上記接着領域において上記接着剤が剥がれにくくなっており、上記基板に上記クリップをより確実に固定させることができる。このため、このような画像読取装置では、上記コネクタが上記基板により強固に接続され、好ましい読み取りを行うことができる。
【００１０】
本発明の好ましい実施の形態においては、上記基材が多孔質構造の材質で形成されており、上記コーティングは、上記接着領域において上記基材を露出させるように形成されている。このような構成によれば、上記接着剤は、多孔質構造の材質で形成された上記基材に塗布されるため、剥がれにくくなっている。このため、このような画像読取装置では、上記コネクタと上記基板とがより強固に接続され、好ましい読み取りを行うことができる。
【００１１】
本発明の好ましい実施の形態においては、上記接着領域において上記基材に上記コーティングが形成されており、上記接着領域における上記コーティングの表面は、上記基板の他の領域における上記コーティングの表面に比べて粗い面に形成されている。このような構成によれば、上記接着剤は、比較的粗い面に塗布されるため、より剥がれにくくなっている。このため、このような画像読取装置では、上記コネクタと上記基板とがより強固に接続され、好ましい読み取りを行うことができる。
【００１２】
本発明の好ましい実施の形態においては、上記接着領域には上記コーティングよりも上記接着剤が接着しやすい接着層が形成されている。このような構成によれば、上記接着剤は、上記コーティングよりも上記接着剤が接着しやすい接着層に塗布されるため、より剥がれにくくなっている。このため、このような画像読取装置では、上記コネクタと上記基板とがより強固に接続され、好ましい読み取りを行うことができる。
【００１３】
本発明のその他の特徴および利点は、添付図面を参照して以下に行う詳細な説明によって、より明らかとなろう。
【発明を実施するための最良の形態】
【００１４】
以下、本発明の好ましい実施の形態につき、図面を参照して具体的に説明する。
【００１５】
図１〜図３は、本発明に係る画像読取装置の第１実施形態を示している。図１〜図３に示す画像読取装置Ａ１は、基板１０、コネクタ２０、線状光源３０、レンズユニット４０、センサチップ５０、ケース６０、ガラスカバー７０、および、金具８０を備えている。
【００１６】
基板１０は、画像読取装置Ａ１の主走査方向に沿って延びる長板状に形成されており、基材１１と、基材１１の両面に形成された遮光性のコーティング１２とで構成されている。基板１０の表面には図示しない配線パターンが形成されており、センサチップ５０が搭載されている。基材１１には、多孔質構造を有する材質、たとえばセラミックを用いる。コーティング１２には黒ガラスを用いる。図２および図３に示すように、基板１０の表面および裏面には、樹脂製の接着剤１９が塗布される接着領域１０ａが設けられている。この接着領域１０ａには、コーティング１２が設けられておらず、基材１１が露出するような構成となっている。また、接着領域１０ａに上記配線パターンの一部が延出している。
【００１７】
コネクタ２０は、たとえば主走査方向を長手方向とする直方体形状であり、図２に示すように一方の側面から突出する複数のクリップ２１を備えている。コネクタ２０は、これらのクリップ２１によって基板１０に対して側方から取り付けられている。クリップ２１は、基板１０を挟み込むとともに、接着剤１９が塗布されることによって接着領域１０ａに固定されている。本実施形態では、接着領域１０ａに延出した配線パターンと導通接続されるように、クリップ２１は接着領域１０ａに固定されている。
【００１８】
線状光源３０は、導光体３１、リフレクタ３２およびＬＥＤモジュール３３によって構成されている。導光体３１は、たとえばメタクリル酸メチル樹脂（ＰＭＭＡ)などの透明な樹脂からなり、ＬＥＤモジュール３３からの光を主走査方向に沿う線状光として読取対象に向けて出射するように構成されている。リフレクタ３２は、たとえば白色の樹脂によって形成されており、ケース６０の適所に嵌め込まれている。リフレクタ３２は、導光体３１を抱え込むように収容しており、導光体３１内を進行する光が不当に漏れることを防いでいる。ＬＥＤモジュール３３は、たとえば赤色光、青色光、緑色光を出射するＬＥＤチップを内蔵しており、導光体３１に向けて光を出射可能なように基板１０上に搭載されている。
【００１９】
レンズユニット４０は、上記読取対象によって反射された線状光をセンサチップ５０に結像させる光学部品である。レンズユニット４０は、たとえば主走査方向に配列された複数の円柱状のレンズが樹脂製のハウジングに保持された構成とされている。
【００２０】
センサチップ５０は、主走査方向に延びるように基板１０上に配置された受光素子である。センサチップ５０は、受けた光に応じた起電力を生じ、さらにこの起電力から画素ごとの輝度信号を基板１０上の配線パターンを通じてコネクタ２０へ出力可能に構成されている。このため上記読取対象によって反射された光をセンサチップ５０によって受光することにより、上記読取対象の記載内容を画像データとして読み取ることができる。
【００２１】
ケース６０は、基板１０、線状光源３０、および、レンズユニット４０を内蔵しており、主走査方向に延びる略直方体形状とされている。このケース６０はその下方に開口６１が形成されており、その上方に開口６２が形成されている。開口６１には、基板１０が嵌め込まれている。開口６２にはガラスカバー７０が嵌め込まれている。さらに、基板１０にコネクタ２０を取付け可能なように、ケース６０には開口６１と繋がる凹部６１ａが形成されている。なお、ケース６０は、たとえば黒色の樹脂によって形成されている。
【００２２】
金具８０は、基板１０を開口６１に固定するための部材である。
【００２３】
次に、画像読取装置Ａ１の作用について説明する。
【００２４】
本実施形態によれば、多孔質構造の基材１１に接着剤１９が直接塗布されるため、接着剤１９が容易には剥がれなくなっている。このため、クリップ２１は接着剤１９によって接着領域１０ａに強固に固定される。したがって、画像読取装置Ａ１では、基板１０上の配線パターンとクリップ２１との接続が強固となり、安定した好ましい読み取りを行うことができる。
【００２５】
さらに、本実施形態によれば、接着領域１０ａは周囲に比べてコーティング１２の厚み分だけ凹んだ構造となっているため、接着領域１０ａから接着剤１９が溢れにくくなっている。このため、接着剤１９の塗布範囲を容易に制限可能となっており、接着剤１９が意図しない部分に塗布されるのを防ぐことができる。また、接着剤１９が溢れて拡散することを防ぐことにより、接着領域１０ａにおいて接着剤１９の厚みを一定以上に保ち、接着強度を安定させることができる。
【００２６】
図４および図５には、本発明に係る画像読取装置の第２実施形態を示している。図４および図５に示す画像読取装置Ａ２は、接着領域１０ａの構造を除けば画像読取装置Ａ１と同様の構造を有している。
【００２７】
図５に示すように、画像読取装置Ａ２は、接着領域１０ａにおいてもコーティング１２が設けられている。さらに、接着領域１０ａにおいては、コーティング１２の表面は、微小な凹部１２１が多数形成されており、コーティング１２の他の領域の表面に比べて粗い面となっている。多数の凹部１２１は、接着領域１０ａの範囲内のコーティング１２の表面にブラスト加工またはスパッタリングを行うことによって形成することができる。
【００２８】
このような画像読取装置Ａ２では、表面に多数の凹部１２１が形成されたコーティング１２に接着剤１９が塗布される。多数の凹部１２１によって接着面積が大きくなるため、接着剤１９は剥がれにくくなっており、クリップ２１を強固に固定することができる。したがって、画像読取装置Ａ２でも、基板１０上の配線パターンとクリップ２１との接続が強固となり、安定した好ましい読み取りを行うことができる。
【００２９】
なお、接着領域１０ａの範囲内のコーティング１２の表面にブラスト加工またはスパッタリングを行うかわりに、プラズマ処理を施してもよい。このようにしても、接着領域１０ａにおけるコーティング１２の表面に対する接着剤１９の接着強度を上げることができる。
【００３０】
図６および図７には、本発明に係る画像読取装置の第３実施形態を示している。図６および図７に示す画像読取装置Ａ３は、接着領域１０ａの構造を除けば画像読取装置Ａ１と同様の構造を有している。
【００３１】
図７に示すように、画像読取装置Ａ３は、接着領域１０ａにおいて接着層１３が設けられている。接着層１３の表面は、コーティング１２の表面に比べて粗面となるように形成されている。このような接着層１３の形成は、たとえば、接着領域１０ａの範囲内のコーティング１２の表面にプライマー処理を行うことによって行うことができる。あるいは、樹脂を印刷することによってもコーティング１２の表面に比べて粗面となるような表面を有する接着層１３を得ることができる。
【００３２】
このような画像読取装置Ａ３では、コーティング１２よりも粗い表面を有する接着層１３に接着剤１９が塗布される。このため、接着剤１９は剥がれにくくなっており、クリップ２１を強固に固定することができる。したがって、画像読取装置Ａ３でも、基板１０上の配線パターンとクリップ２１との接続が強固となり、安定した好ましい読み取りを行うことができる。
【００３３】
さらに、断熱効果の高い接着層１３を設けた場合、接着剤１９から基板１０へ熱が逃げにくくなるため、接着剤１９をより低い温度で塗布することが可能となる。このため、接着剤１９を高温に保つためのコストを軽減することができる。
【００３４】
図８には本発明に係る画像読取装置の第４実施形態を示している。図８に示す画像読取装置Ａ４では、コネクタ２０が基板１０の下側に取り付けられている。このコネクタ２０の副走査方向における内寄りの端部には、外部に信号を取り出すためのフレキシブル基板２２が連結可能となっている。画像読取装置Ａ４のその他の構成については、画像読取装置Ａ１と同様である。
【００３５】
コネクタ２０は、図８に示すように、上方に突出して基板１０の一方の側縁に取り付けられるクリップ２１を備えている。このクリップ２１は、コネクタ２０の内部で屈曲しており、コネクタ２０から抜けにくい構成となっている。さらに、クリップ２１は、基板１０の表面の接着領域１０ａに延出された配線パターンと導通接続されるように、接着剤１９によって接着領域１０ａに接着固定されている。本実施形態においても、画像読取装置Ａ１の場合と同様に、コーティング１２は、接着領域１０ａにおいて基材１１を露出させるように接着領域１０ａを避けて形成されている。
【００３６】
さらに、本実施形態では、コネクタ２０の側面の一部が基板１０の裏面に接着剤１９によって接着されている。基板１０の裏面の接着剤１９が塗布される領域においてもコーティング１２が形成されておらず、基材１１に接着剤１９が塗布されている。
【００３７】
このように、画像読取装置Ａ４においても、画像読取装置Ａ１の場合と同様に、多孔質構造の基材１１に接着剤１９が塗布されるため、接着剤１９が容易には剥がれなくなっている。このため、クリップ２１は接着剤１９によって接着領域１０ａに強固に固定され、コネクタ２０の側面の一部も接着剤１９によって基板１０の裏面に強固に固定される。したがって、画像読取装置Ａ４では、コネクタ２０が基板１０から脱落しにくく、基板１０上の配線パターンとクリップ２１との接続が強固となっているため、安定した好ましい読み取りを行うことができる。
【００３８】
図９には本発明に係る画像読取装置の第５実施形態を示している。図９に示す画像読取装置Ａ５では、コネクタ２０の副走査方向における外寄りの端部に、外部に信号を取り出すためのフレキシブル基板２２が連結可能となっている。また、本実施形態では、クリップ２１のコネクタ２０内での形状が画像読取装置Ａ４の場合よりも簡略な形状になっている。画像読取装置Ａ５のその他の構成については、画像読取装置Ａ４と同様である。
【００３９】
本実施形態においても、画像読取装置Ａ４と同様に、多孔質構造の基材１１に接着剤１９が塗布されるため、接着剤１９が容易には剥がれなくなっている。このため、クリップ２１が接着剤１９によって基板１０の表面に強固に固定され、コネクタ２０も接着剤１９によって基板１０の裏面に強固に固定される。したがって、画像読取装置Ａ５では、コネクタ２０が基板１０から脱落しにくく、基板１０上の配線パターンとクリップ２１との接続が強固となっているため、安定した好ましい読み取りを行うことができる。
【００４０】
本発明に係る画像読取装置は、上述した実施形態に限定されるものではない。本発明に係る画像読取装置の各部の具体的な構成は、種々に設計変更自在である。たとえば、画像読取装置Ａ４，Ａ５において、接着領域１０ａの構造を画像読取装置Ａ２，Ａ３のような構造としてもよい。また、画像読取装置Ａ１，Ａ３における接着領域１０ａの構造を組み合わせ、基材１１上に接着層１３を形成してもよい。
【００４１】
また、上記実施形態では、コーティング１２を基板１０の表面および裏面の双方に設けているが、いずれか一方にだけコーティング１２を形成する場合も実施可能である。
【００４２】
また、画像読取装置Ａ１〜Ａ５では、クリップ２１は基板１０上の配線パターンに電気的に接続されていたが、クリップ２１が上記配線パターンに電気的に接続されない場合も実施可能である。この場合でも、クリップ２１が基板１０に強固に接着されるため、コネクタ２０が基板１０から外れにくくなるため、安定した読み取りを行うことができる。
【図面の簡単な説明】
【００４３】
【図１】本発明に係る画像読取装置の第１実施形態を示す平面図である。
【図２】図１に示す画像読取装置の背面を示す図である。
【図３】図１のIII-III線に沿う断面図である。
【図４】本発明に係る画像読取装置の第２実施形態を示す断面図である。
【図５】図４に示す画像読取装置の要部を示す図である。
【図６】本発明に係る画像読取装置の第３実施形態を示す断面図である。
【図７】図６に示す画像読取装置の要部を示す図である。
【図８】本発明に係る画像読取装置の第４実施形態を示す断面図である。
【図９】本発明に係る画像読取装置の第５実施形態を示す断面図である。
【図１０】従来の画像読取装置の一例を示す断面図である。
【符号の説明】
【００４４】
Ａ１，Ａ２，Ａ３，Ａ４，Ａ５  画像読取装置
１０                          基板
１０ａ                        接着領域
１１                          基材
１２                          コーティング
２０                          コネクタ
２１                          クリップ
３０                          線状光源
３１                          導光体
３２                          リフレクタ
３３                          ＬＥＤモジュール
４０                          レンズユニット
５０                          センサチップ（受光素子）
６０                          ケース
６１，６２                    開口
７０                          ガラスカバー
８０                          金具
【図１】
2009165068.tif 000003
【図２】
2009165068.tif 000004
【図３】
2009165068.tif 000005
【図４】
2009165068.tif 000006
【図５】
2009165068.tif 000007
【図６】
2009165068.tif 000008
【図７】
2009165068.tif 000009
【図８】
2009165068.tif 000010
【図９】
2009165068.tif 000011
【図１０】
2009165068.tif 000012